(57)【要約】【課題】  イメージを光ディスクのラベル面に完全に書き込む速度が速い光学式マーキング機構を提供すること。【解決手段】  本発明の一実施形態の光ディスクの光学的に書込み可能なラベル面にラベルを形成する方法は、以下のうちの少なくとも１つを含む。第１に、この方法では、光学式マーキング機構が、光ディスクの光学的に書込み可能なラベル面のトラック上を複数回通って、その光学式マーキング機構が、毎回のパス（通過）の間に、このトラックに書き込むようにするステップがある。第２に、この方法では、トラック上の開始位置が、光ディスクの光学的に書込み可能なラベル面の次のトラック上の開始位置と半径方向に同一直線上にないように、光学式マーキング機構を、このトラックから次のトラックへと進めるステップがある。   【選択図】図１
2004327026.tif 000002
【特許請求の範囲】
【請求項１】
光ディスクの光学的に書込み可能なラベル面にラベルを形成する方法であって、
光学式マーキング機構が、前記光ディスクの前記光学的に書込み可能なラベル面のトラック上を複数回通るステップであって、前記光学式マーキング機構が、前記トラックにそれぞれのパスの間に書き込みを行うステップと、
前記光学式マーキング機構を、前記トラックから前記光ディスクの前記光学的に書込み可能なラベル面の次のトラックへと進めるステップであって、前記トラック上の開始位置が、前記次のトラック上の開始位置と半径方向に同一直線上にないようにするステップと、のうち少なくとも１つを有する方法。
【請求項２】
前記光学式マーキング機構が前記光ディスクの前記光学的に書込み可能なラベル面の前記トラック上を複数回通るステップは、パスごとに、前記光学式マーキング機構のマーキング強度を変更して、前記光学式マーキング機構が、毎回のパスの間に、異なるマーク・サイズおよび異なるマーク濃度の少なくとも１つを用いて前記トラックに書き込むようにするステップを含む請求項１に記載の方法。
【請求項３】
前記光学式マーキング機構が前記光ディスクの前記光学的に書込み可能なラベル面の前記トラック上を複数回通るステップは、パスごとに、前記光学式マーキング機構の一定マーキング強度を維持して、前記光学式マーキング機構が、前記トラック上の異なるピクセルのそれぞれに、複数のパスで異なる回数だけ書き込むことで、前記光学式マーキング機構が、異なるピクセルへの書込み時に、異なるマーク・サイズおよび異なるマーク濃度の少なくとも１つを実現するようにするステップを含む請求項１に記載の方法。
【請求項４】
前記光学式マーキング機構が前記光ディスクの前記光学的に書込み可能なラベル面の前記トラック上を複数回通るステップは、トラック前進信号を受け取るまで、前記光学式マーキング機構が、前記光ディスクの前記光学的に書込み可能なラベル面の前記トラック上を繰り返し通るステップを含む請求項１に記載の方法。
【請求項５】
前記トラック上の開始位置と前記次のトラック上の開始位置との間の角距離を求めるステップをさらに含み、前記トラックおよび前記次のトラック上でのトラック終端のマーキング無しピクセルの影響の認識を、前記トラックおよび次のトラックの長さにより少なくとも弱め、前記トラックおよび次のトラックの長さが、前記光学式マーキング機構が前記トラックおよび前記次のトラックに書き込むマーク長さの整数倍にわたる、請求項１に記載の方法。
【請求項６】
前記トラック上の開始位置と前記次のトラック上の開始位置において、前記光学式マーキング機構の開始位置ピクセル・マーキングの影響の認識を少なくとも弱めるために、前記トラック上の開始位置と前記次のトラック上の開始位置との間の角距離を求めるステップをさらに含む請求項１に記載の方法。
【請求項７】
前記光学式マーキング機構を、前記トラックから前記次のトラックへと進めながら位置を変え安定させるのに必要な時間に少なくとも基づいて、前記トラック上の開始位置と前記次のトラック上の開始位置との間の角距離を求めるステップをさらに含む請求項１に記載の方法。
【請求項８】
前記トラック上の開始位置と前記次のトラック上の開始位置との間の角距離の少なくとも一部を、ランダムに求めるステップをさらに含む請求項１に記載の方法。
【請求項９】
光ディスクの光学的に書込み可能なラベル面の複数のトラック上に、少なくとも光学的にマーキングを書き込む光学式マーキング機構と、
前記光ディスクを回転させる第１のモータ機構と、
前記光ディスクに対して、半径方向に前記光学式マーキング機構を移動させる第２のモータ機構と、
複数のトラックのうちの他のトラック上の開始位置と半径方向に同一直線上にない、前記複数のトラックのうちのあるトラック上の開始位置まで、前記光学式マーキング機構を進め、また、トラック前進信号を受け取るまで、前記第１のモータ機構と前記第２のモータ機構を制御することにより、前記光学式マーキング機構に、前記トラック上を複数回、通させるコントローラと、を備える大容量記憶装置。
【発明の詳細な説明】
【技術分野】
【０００１】
コンピュータユーザは、広範な様々な目的で、書込み可能で、かつ書換え可能な光ディスクを使用する。コンピュータユーザは、記録保管または配布の目的で、プログラムまたはデータを、このような光ディスクに保存することができる。
【背景技術】
【０００２】
ＣＤタイプのディスクの場合には、ユーザは、オーディオＣＤプレーヤで再生できる音楽ＣＤを作成するか、あるいは、専用ＣＤプレーヤで再生できるＭＰ３ファイルなどの音楽データファイルをＣＤに保存することができる。ＤＶＤタイプのディスクの場合には、ユーザは、ＣＤタイプのディスクの場合よりも大きな記憶容量を利用できる。また、ユーザは、単体（スタンドアロン）のＤＶＤプレーヤで再生できるビデオＤＶＤを作成できることができる。
【０００３】
多くのタイプの光ディスクは、データ面とラベル面を含む。データ面は、データを書き込む場所であるが、しかるに、ラベル面は、ユーザが、光ディスクにラベルを付けられるようにしている。あいにく、ラベル付けは、手馴れてなく、労力を要し、費用のかかるプロセスであることもある。光ディスク上に書き込むためにマーカを使用できるが、ただし、その結果は、確かに本職の人間がやったようには見えないものになる。
【０００４】
インクジェットまたは他のタイプのプリンタを用いて印刷できる特殊なプレカット・ラベル（pre-cut  label）も使用できるが、ただし、これは、労力を要するプロセスである。すなわち、ディスク上で、このようなラベルを入念に揃えることなどしなければならない。ディスク上に直接に印刷する専用プリンタを使用することもあるが、ただし、そのようなプリンタは、かなり高価なものである。2001年10月11日に米国で出願された「統合されたCD/DVDの記録およびラベル（Integrated  CD/DVD  Recording  and  label）」と称する特許出願（米国特許出願第09/976,877号）では、レーザを使って光ディスクにラベルを形成するという、上記問題点の解決法が述べられている。
【発明の開示】
【発明が解決しようとする課題】
【０００５】
光ディスクの光学的に書込み可能なラベル面への書込みにかかわる２つの問題は、画質と速度である。ユーザは、通常、光ディスクのラベル面に光学的に書き込むときに、できるだけ良い画質を求める。しかしながら、光ディスクに読み書きする大容量記憶装置は、これまで、ラベル・マーキングではなくて、データの記憶に対して最適化されてきたために、それらの特性は、光ディスクのラベル面に書き込まれるイメージの画質に影響を及ぼすことがある。ユーザはまた、たいてい、光ディスクのラベル面に光学的に書き込むときに、最高速度も求める。しかしながら、この場合も、光ディスクの大容量記憶装置は、これまで、光ディスクのデータ面への書込みに対して最適化されてきたために、それらの特性は、光ディスクのラベル面にマーキングすることのできる速度に影響を及ぼすことがある。
【課題を解決するための手段】
【０００６】
本発明の一実施形態の光ディスクの光学的に書込み可能なラベル面にラベルを形成する方法は、以下のうちの少なくとも１つを含む。第１に、この方法では、光学式マーキング機構が、光ディスクの光学的に書込み可能なラベル面のトラック上を複数回通って、その光学式マーキング機構が、毎回のパス（通過）の間に、このトラックに書き込むようにするステップがある。第２に、この方法では、トラック上の開始位置が、光ディスクの光学的に書込み可能なラベル面の次のトラック上の開始位置と半径方向に同一直線上にないように、光学式マーキング機構を、このトラックから次のトラックへと進めるステップがある。
【発明を実施するための最良の形態】
【０００７】
ここで参照される図面は、本明細書の一部を成している。図面に示される特徴は、明確に指示しない限り、本発明のすべての実施形態を例示せず、本発明の一部の実施形態しか例示しないつもりである。
【０００８】
本発明の模範的な実施形態の以下の詳細な説明では、添付図面を参照する。添付図面は、この説明の一部を成しており、そこには、本発明を実施できる特定の模範的な実施形態が、例示として示されている。これらの実施形態は、当業者が本発明を実施できるようにするくらい充分詳しく述べられている。他の実施形態が利用され、また、本発明の精神または範囲から逸脱しなければ、論理的変更、機械的変更、および他の変更が行われることがある。それゆえ、以下の詳細な説明は、限定的な意味に解されるべきではなく、本発明の範囲は、併記の特許請求の範囲によってのみ定められる。
【０００９】
半径方向に同一直線上にない開始位置
図１は、本発明の一実施形態による光ディスク１００を示している。光ディスク１００は、ＣＤ（compact  disc）、ＤＶＤ（digital  versatile  disc）、または他のタイプの光ディスクであってもよい。光ディスク１００は、図１に示される光学的に書込み可能なラベル面１０２と、光ディスク１００の反対側の光学的に書込み可能なデータ面１０４を持っている。光学的に書込み可能なラベル面１０２の一例は、２００１年１０月１１日に出願された、米国特許第09/976,877号「統合されたＣＤ／ＤＶＤの記録およびラベル（Integrated  CD/DVD  Recording  and  label）」と称する特許出願に、特に開示されている。
【００１０】
光ディスク１００は、内側縁１１０と外側縁１１２を持っている。光ディスク１００は、一まとめにしてトラック１０６と呼ばれる多数の同心円状のトラック１０６Ａ、１０６Ｂ、１０６Ｃ、．．．、１０６Ｎも持っている。レーザなどの光学式マーキング機構は、マークを、トラック１０６のピクセルに書き込むことができる。７００、８００くらいのトラック１０６がある。１０６Ａ、１０６Ｂ、１０６Ｃ，．．．，１０６Ｎのトラックは、それぞれ１０８Ａ、１０８Ｂ、１０８Ｃ，．．．，１０８Ｎの開始位置を持っている。それらの開始位置は、一まとめにして開始位置１０８と呼ばれる。開始位置１０８は、光学式マーキング機構が、トラック１０６に進んでいるときにマークを書き込むことができるトラック１０６上の第１のピクセルである。例えば、光学式マーキング機構は、トラック１０６Ａに進むと、開始位置１０８Ａからスタートして、光学式マーキング機構が、まず最初に、マークをトラック１０６Ａ上の開始位置１０８Ａのピクセルに書き込むことができるようにする。
【００１１】
開始位置１０８は、半径方向に互いに同一直線上にない。このことは、すべての開始位置１０８が、光ディスク１００の内側縁１１０から外側縁１１２へのどの半径方向の線上にも、一列に並んでないことを意味する。一実施形態では、開始位置１０８のうちの任意の２つ以上が、内側縁１１０から外側縁１１２への一本の半径方向の線と同一直線上にあるかもしれないが、ただし、このような半径方向の線に対して、すべての開始位置１０８が同一直線上にあるとは限らない。実際の開始位置１０８は、一実施形態では、少なくともランダムなやり方で決定される場合があり、その場合、開始位置１０８は、相対的にランダムに決定される。開始位置１０８を求める他の理由および根拠を次に述べる。
【００１２】
図２は、本発明の一実施形態のトラック１０６Ａを詳細に描いたものである。ここでは、開始位置１０８が半径方向に同一直線上にないことが示される。これにより少なくとも、トラック１０６上でのトラック終端のマーキング無しピクセルの影響の認識が弱められている。このようなトラック終端のマーキング無しピクセルの影響は、光学式マーキング機構がトラック１０６に書き込むことのできるマーク長さの整数倍とは異なるトラック１０６の長さからもたらされることもある。例えば、光学式マーキング機構は、図２では、開始位置１０８Ａのピクセルからスタートして、トラック１０６Ａの周りに、２０２Ａ、２０２Ｂ，．．．，２０２Ｎのピクセルへと続進して、トラック１０６Ａにマークを書き込む。この場合、ピクセル２０２Ｎは、光学式マーキング機構がマークを書き込むことのできるトラック１０６Ａ上の最終位置である。ピクセル２０２のそれぞれと、開始位置１０８Ａのピクセルは、最大の直径すなわちマーキング長さ２０６を持つ。ピクセル２０２のサイズは、通常の当業者に理解できるように、非常に誇張して図面をわかりやすくしている。さらに、ピクセル２０２上に書き込まれるマークは、長方形、楕円形などのように、円形以外の形状であることもある。
【００１３】
トラック１０６Ａの周囲の長さが、直径２０６の整数倍でない場合、このことは、トラック１０６Ａ上において、最終ピクセル２０２Ｎと開始位置１０８Ａとの間に、光学式マーキング機構がマークを書き込むことのできないかもしれない隙間２０４が残ることを意味している。隙間２０４の長さは、直径２０６よりも短い。すべての開始位置１０８が、半径方向に同一直線上にあった場合には、トラック１０６上の開始位置１０８と最終位置の大部分のピクセルにマークが書き込まれていて、トラック１０６のそれぞれの隙間２０４に対応する細い線を容易に認識できる。本発明の実施形態は、開始位置１０８が同一直線上にないように開始位置１０８を調整することで、上記の細い線の認識を弱めている。
【００１４】
図３は、本発明の他の実施形態による、トラック１０６Ａを詳細に描いたものである。この図は、どのように開始位置１０８が半径方向に同一直線上にないように配置されるかを示す図であり、この配置により少なくとも、トラック１０６上での開始位置ピクセル・マーキングの影響の認識を弱めている。このような開始位置ピクセル・マーキングの影響は、光学式マーキング機構が、トラック１０６上の他のピクセルに書き込むときとは異なる態様で、トラック１０６の開始位置１０８のピクセルにマークを書き込む結果、生じることがある。これは、光学式マーキング機構のレーザまたは他の部分が、完全に安定しているわけでなく、その結果、濃すぎるピクセルまたは薄すぎるピクセルが、開始位置１０８のピクセルに書き込まれることが理由であるかもしれない。
【００１５】
例えば、図３に示されるように、光学式マーキング機構は、３０２Ａや３０２Ｂのピクセルに書き込む場合よりも濃く、トラック１０６Ａの開始位置１０８Ａのピクセルに書き込む。すべての開始位置１０８が、半径方向に同一直線上にあった場合には、開始位置１０８の大部分のピクセルにマークが書き込まれていて、開始位置１０８のピクセルに対応する細い濃い線を容易に認識できる。本発明の実施形態は、開始位置１０８が同一直線上にないように開始位置を調整することで、上記の細い線の認識を弱めている。
【００１６】
図４は、本発明の一実施形態のトラック１０６Ａとトラック１０６Ｂを詳細に描いたものである。ここでは、光学式マーキング機構を、トラック１０６Ａからトラック１０６Ｂへと進めながら位置を変え、かつ安定させるのに必要な時間に対応する角距離に少なくとも基づいて、開始位置１０８が半径方向に同一直線上にない手法を示している。例えば、トラック１０６Ａとトラック１０６Ｂが属している光ディスク１００は、絶えず回転させることができる。光学式マーキング機構が、トラック１０６Ａの最終ピクセル２０２Ｎに書き込んだか、あるいはピクセル２０２Ｎまで進んでいて、いつでもトラック１０６Ｂに進むことができる場合を考える。このとき、光ディスク１００は回転し続ける一方で、光学式マーキング機構が、トラック１０６Ｂまで進み、かつ安定することで、トラック１０６Ｂの開始位置１０８Ｂのピクセルへの書込みを開始できるようにしている。光学式マーキング機構が、このように位置を変えかつ安定するのにかかった時間の間、光ディスク１００は、角距離４０２だけ回転した可能性がある。
【００１７】
１０８Ａと１０８Ｂの開始位置が同一直線上にあるとすれば、光学式マーキング機構が、いつでもトラック１０６Ｂへの書込みを開始する用意ができるときまでには、光ディスク１００は、光学式マーキング機構がトラック１０６Ｂ上の開始位置１０８Ｂを通り過ぎるほど回転しているであろう。このことは、光学式マーキング機構を、再度、トラック１０６Ｂ上の開始位置１０８Ｂに位置づけるように、光ディスク１００が完全に一回転するまで待たなければならなくなることを意味している。この待ち時間は、光学式マーキング機構が光ディスク１００のラベル面１０２にイメージを完全に書き込むことのできる速度を遅らせる。
【００１８】
本発明の実施形態は、位置を変えかつ安定するのにかかる時間に対応する角距離４０２に基づき、光学式マーキング機構が、開始位置１０８の間隔を置いている。そのようにして、本発明の実施形態は、光学式マーキング機構が、次のトラックに進むときに開始位置１０８のうちの次の開始位置にくるように、光ディスク１００がまる一回転するのを光学式マーキング機構が待つ必要のないようにしている。これにより、光学式マーキング機構がイメージを光ディスク１００のラベル面に完全に書き込むことのできる速度が増す。
【００１９】
光学的に書込み可能なラベル面のトラック上での複数回のパス
図５は、本発明の一実施形態により、パスごとにマーキング強度を調整または変更することで、光学式マーキング機構が、複数回のパスの間に、異なるサイズのピクセルにマークを書き込むことができる手法を示すために、光ディスク１００のトラック１０６Ａを詳細に描いたものである。例えば、光学式マーキング機構は、トラック１０６Ａを４回、通ることができる。毎回のパスにおいて、光学式マーキング機構がトラック１０６Ａのピクセルにマークを書き込むマーキング強度は、強まるか、あるいは弱まる。
【００２０】
したがって、１回目のパスにおいて、光学式マーキング機構は、マークをピクセル５０２Ａに書き込むことができる。また２回目のパスにおいて、光学式マーキング機構は、マークをピクセル５０２Ｂに書き込むことができる。光学式マーキング機構のマーキング強度が、１回目のパスよりも、２回目のパスの方が強い場合には、ピクセル５０２Ｂは、ピクセル５０２Ａよりも大きかったり、濃かったりすることになる。同様に、３回目のパスにおいて、光学式マーキング機構は、マークをピクセル５０２Ｃに書き込み、また４回目のパスにおいて、マークをピクセル５０２Ｄに書き込むことができる。光学式マーキング機構のマーキング強度が、２回目のパスよりも３回目のパスの方が強く、また３回目のパスよりも４回目のパスの方が強い場合には、ピクセル５０２Ｃは、ピクセル５０２Ｂよりも大きかったり、濃かったりし、また、ピクセル５０２Ｄは、ピクセル５０２Ｃよりも大きかったり、濃かったりする。したがって、５０２Ａ、５０２Ｂ、５０２Ｃ、５０２Ｄのピクセルは、異なるサイズ、光学濃度すなわち輝度を持つことができる。このようにして、光学式マーキング機構は、光ディスク１００のトラック１０６のピクセルに書き込むときに、複数ラベルのピクセル・グレースケールを表現することができる。
【００２１】
光学式マーキング機構は、そのマーキング強度を、ピクセル単位の方式では変更も調整もできないことがある。その結果、光学式マーキング機構が、２回以上、トラック１０６のそれぞれを通ることにより、光学式マーキング機構が、そのマーキング強度を、トラック・パス単位の方式で変更または調整できるようにしている。さらに、好ましくは、５０２Ａ、５０２Ｂ、５０２Ｃ、５０２Ｄのピクセルは、互いに相容れない。すなわち、一実施形態では、光学式マーキング機構は、ピクセル上での複数回のパスで、２回以上も、マークを同一ピクセルには書き込まない。
【００２２】
図６は、本発明の他の実施形態により、パスごとに、一定のマーキング強度を維持することで、光学式マーキング機構が、複数回のパスの間に、異なるサイズのピクセルにマークを書き込むことができる手法を示すために、光ディスク１００のトラック１０６Ａを詳細に描いたものである。例えば、光学式マーキング機構は、４回、トラック１０６Ａ上を通ることができる。毎回のパスにおいて、光学式マーキング機構がマークをトラック１０６Ａのピクセルに書き込むマーキング強度は変わりはないが、ただし、光学式マーキング機構は、複数回のパスで、２回以上、同一ピクセルに書き込んで、その濃度および／またはサイズを大きくする（高める）ことができる。
【００２３】
したがって、１回目のパスにおいて、光学式マーキング機構は、マークを６０２Ａ、６０２Ｂ、６０２Ｃ、６０２Ｄのピクセルに書き込み、２回目のパスにおいて、光学式マーキング機構は、マークを６０４Ａ、６０４Ｂ、６０４Ｃのピクセルに書き込み、３回目のパスにおいて、光学式マーキング機構は、マークを６０６Ａと６０６Ｂのピクセルに書き込み、また、４回目のパスにおいて、光学式マーキング機構は、マークをピクセル６０８Ａに書き込むことができる。６０２Ａ、６０４Ａ、６０６Ａ、６０８Ａのピクセルは、同じ場所を占め、すなわち互いに同心である。すなわち、６０２Ａ、６０４Ａ、６０６Ａ、６０８Ａのピクセルは、トラック１０６Ａ上の同じ位置にある。同様に、６０２Ｂ、６０４Ｂ、６０６Ｂのピクセルは、同じ場所を占め、すなわち互いに同心であり、また、６０２Ｃと６０４Ｃも、同じ場所を占め、すなわち互いに同心である。複数回のパスで、同じ場所を占め、すなわち互いに同心であるピクセルに、光学式マーキング機構がマークを書き込む回数により、トラック１０６Ａ上の上記位置にて結果として得られるピクセルの大きさまたは濃度が調整される。
【００２４】
それゆえ、ピクセル６０８Ａは、最終的に、ピクセル６０６Ｂよりも濃く大きく、また、ピクセル６０６Ｂは、最終的に、ピクセル６０４Ｃよりも濃く大きく、また、ピクセル６０４Ｃは、最終的に、ピクセル６０２Ｄよりも濃く大きい。これは、光学式マーキング機構が、ピクセル６０８Ａの同一位置に、４回、書き込むからである。１回目のパスの間に、光学式マーキング機構がピクセル６０２Ａに書き込み、２回目のパスの間に、光学式マーキング機構がピクセル６０４Ａに書き込み、３回目のパスの間に、光学式マーキング機構がピクセル６０６Ａに書き込み、最後に、４回目のパスの間に、光学式マーキング機構がピクセル６０８Ａに書き込み、６０２Ａ、６０４Ａ、６０６Ａ、６０８Ａのピクセルが同じ場所を占め、すなわち互いに同心となっている。光学式マーキング機構が、同じ位置のピクセルにマークを書き込むたびに、光学式マーキング機構は、結果として得られるピクセルを濃くし、大きくする。したがって、ピクセル６０８Ａは、６０６Ｂ、６０４Ｃ、６０２Ｄのピクセルよりも濃く大きい。なぜなら、光学式マーキング機構は、ピクセル６０８Ａの位置に４回、書き込んできたが、しかるに、ピクセル６０６Ｂの位置には３回、ピクセル６０４Ｃの位置には２回、またピクセル６０２Ｄの位置には１回、書き込んできたからである。
【００２５】
光学式マーキング機構は、トラック１０６のうちの１つのパス全体に対して、大きい一定デューティサイクル（動作周期）でも、最大の一定マーキング強度でも動作できないことがある。それゆえ、図５といっしょに述べられる本発明の実施形態は、適切ではない。比較すると、図６といっしょに述べられる本発明の実施形態は、トラック１０６のうちの１つのパス全体に対して、光学式マーキング機構を、さらに小さい一定デューティサイクルで、あるいは、さらに弱い一定マーキング強度で動作させるが、それでも、異なるサイズ、異なる光学濃度すなわち輝度を持つピクセルを得ることができる。したがって、光学式マーキング機構は、トラック１０６の上記ピクセルに書き込むと、なお複数ラベルのピクセル・グレースケールを表現することができる。しかしながら、図５の実施形態とは違って、光学式マーキング機構は、ピクセル上での複数回のパスの間に、２回以上、同一ピクセルにマークを書き込んで、さらに大きい（高い）ピクセル・サイズ、光学濃度すなわち輝度を得る。すなわち、図６の実施形態では、同一トラック上での毎回の連続するパスの間に、光学式マーキング機構は、前回のパスにおいて書き込まれたピクセルのサブセットに書き込む。さらに、本発明の他の実施形態では、このようなマーキング・プロセスを、上記のパスのすべてに分散させて、光学式マーキング機構のデューティサイクルを減らすこともある。
【００２６】
一実施形態では、光学式マーキング機構は、所定の回数だけ、トラック１０６のそれぞれを通った後で、次の物理的に隣接するトラックに自動的に進む。しかしながら、他の実施形態では、光学式マーキング機構は、トラック前進信号を受け取るまで、トラック１０６のそれぞれを繰り返し通る。図７は、本発明のこの実施形態により、光学式マーキング機構が、トラック１０６Ａからトラック１０６Ｂに進む状態を描いている。光学式マーキング機構は、当初、矢印７０２Ａで示されるように、トラック１０６Ａ上を１回または複数回通る。通常の当業者に理解できるように、光ディスク１００は、矢印７０２Ａで示される反時計回りの方向ではなくて、矢印７０２Ａで示されるものとは逆の時計回りの方向に回転することがある。光学式マーキング機構は、トラック前進信号を受け取るまで、トラック１０６Ｂには進まない。トラック前進信号を受け取ると、光学式マーキング機構は、矢印７０４で示されるように、トラック１０６Ｂに進む。光学式マーキング機構は、別のトラック前進信号を受け取るまで、矢印７０２Ｂで示されるように、トラック１０６Ｂ上を通り続ける。
【００２７】
したがって、この実施形態では、光学式マーキング機構は、トラック１０６のそれぞれを、少なくとも１回、通るが、ただし、例えば、トラック１０６のうちの所与のトラック上の異なるサイズ、異なる光学濃度のピクセルに、光学式マーキング機構がマークを書き込むのに必要なパスの回数に応じて異なる回数だけ、トラック１０６のそれぞれを通ることもある。例えば、トラック１０６Ａは、そのピクセルのどれにも、最大のサイズまたは濃さを用いて書き込む必要はないが、しかるに、トラック１０６Ｂは、そのピクセルの一部に、最大のサイズまたは濃さを用いて書き込む必要がある。その結果、光学式マーキング機構は、トラック１０６Ｂ上を通る場合よりも１回または複数回少なく、トラック１０６Ａ上を通り、光学式マーキング機構がトラック１０６Ｂ上にあるときと比べて、光学式マーキング機構がトラック１０６Ａ上にあるときの方がトラック前進信号を、１回または複数回のパスだけ早く受け取るようにしている。このことは、光学式マーキング機構が、同じ回数だけ、トラック１０６のそれぞれを通る必要があることになっていた場合と比較して、光学式マーキング機構が光ディスク１００のラベル面にイメージを完全に書き込むことのできる速度を最終的に増すことを意味している。
【００２８】
今述べたばかりの本発明の実施形態では、トラック前進信号により、光学式マーキング機構は、トラック１０６の現時点のトラックから、トラック１０６の次の物理的に隣接するトラックへと進む。しかしながら、トラック１０６のすべては、光学式マーキング機構を用いて、それらのピクセルにマークを書き込む必要があるとは限らないこともある。その結果、光学式マーキング機構は、所与のトラックのピクセルにマークを書き込む必要があるかどうかにかかわらず、トラック１０６のそれぞれの回りを、少なくとも１回、通る必要がある。しかしながら、他の実施形態では、光学式マーキング機構は、現時点のトラックから進ませるトラック数を示すトラック前進信号を受け取ることができる。したがって、トラック１０６のうちの所与のトラックのピクセルにはどれも、マークを書き込む必要がない場合には、光学式マーキング機構は、このトラックの回りを一度も通る必要はなく、このトラックを完全にスキップすることができる。
【００２９】
図８は、本発明のこの実施形態により、光学式マーキング機構が、トラック１０６Ａから、トラック１０６Ｂを通り過ぎて、トラック１０６Ｃに進む状態を描いている。光学式マーキング機構は、前例と同様に矢印７０２Ａで示されるように、当初、トラック１０６Ａ上を１回または複数回通る。図８の例において書き込まれる次のトラックは、物理的に隣接するトラック１０６Ｂではなく、もっと適切に言えば、トラック１０６Ｃである。それゆえ、光学式マーキング機構が、適切な回数だけ、トラック１０６Ａ上を通った後で、光学式マーキング機構が、トラック１０６Ａからトラック１０６Ｃまで、２つのトラックだけ進んで、トラック１０６Ｂを完全にスキップすることになっていることを示すトラック前進信号を受け取る。
【００３０】
こうして、上記のトラック前進信号を受け取ると、光学式マーキング機構は、矢印８０２で示されるように、トラック１０６Ｃに進む。光学式マーキング機構は、別のトラック前進信号を受け取るまで、矢印７０２Ｃで示されるように、トラック１０６Ｃ上を通り続ける。したがって、図８の実施形態は、図７の実施形態と比較して、光学式マーキング機構が、光ディスク１００のラベル面にイメージを完全に書き込むことのできる速度をさらに高めることができる。これは、図７の実施形態により、光学式マーキング機構が、少なくとも一度、トラック１０６のそれぞれを通る場合、また、特にイメージが光ディスク１００のラベル面に書き込まれることにより、光学式マーキング機構を用いて、トラック１０６のすべてにマークを書き込む必要がなくなる場合に、当てはまる。
【００３１】
大容量記憶装置
図９は、本発明の一実施形態による大容量記憶装置９００を示している。大容量記憶装置９００は、光ディスク１００から読み出し、光ディスク１００に書き込むためのものである。さらに具体的に言えば、大容量記憶装置９００は、光ディスク１００の光学的に書込み可能なデータ面、光ディスク１００の光学的に書込み可能なラベル面から読み出し、それらの面に書き込むためのものである。大容量記憶装置９００は、一まとめにして光学式マーキング機構９０２と呼ばれるビーム源９０２Ａと対物レンズ９０２Ｂを含む。記憶装置９００はまた、一まとめにして第１のモータ機構９０６と呼ばれるスピンドル９０６Ａ、スピンドル・モータ９０６Ｂ、ロータリ・エンコーダ９０６Ｃも含む。装置９００は、一まとめにして第２のモータ機構９０８と呼ばれるスレッド９０８Ａ、スレッド・モータ９０８Ｂ、リニア・エンコーダ９０８Ｃ、レール９０８Ｄを含む。最後に、大容量記憶装置９００は、コントローラ９１０を含む。
【００３２】
光学式マーキング機構９０２は、光ビーム９０４の焦点を光ディスク１００に合わせて、少なくとも、光ディスク１００のラベル面１０２にマークを付ける。さらに、光ビーム９０４を用いて、光ディスク１００のデータ面１０４から読み出し、データ面１０４に書き込むだけでなく、光ディスク１００のラベル面１０２から読み出すこともある。具体的に言えば、ビーム源９０２Ａは、例えば、通常の当業者がわかるやり方で、対物レンズ９０２Ｂを通じて、光ディスク１００上に焦点が合わされる光ビーム９０４を生成する。第１のモータ機構９０６は、光ディスク１００を回転させる。具体的に言えば、光ディスク１００は、スピンドル９０６Ａ上にある。スピンドル９０６Ａは、スピンドル・モータ９０６Ｂにより、回転されるか、あるいは、やり取り可能にスピンドル・モータ９０６Ｂに結合されたロータリ・エンコーダ９０６Ｃが指定する所与の位置まで移される。ロータリ・エンコーダ９０６Ｃは、ハードウェア、ソフトウェア、またはハードウェアとソフトウェアの組合せを含むことができる。第２のモータ機構９０８は、光学式マーキング機構９０２を、光ディスク１００に対して半径方向に移動させる。具体的に言えば、光学式マーキング機構９０２は、スレッド９０８Ａ上にある。スレッド９０８Ａは、やり取り可能にスレッド・モータ９０８Ｂに結合されたリニア・エンコーダ９０８Ｃが指定する、レール９０８Ｄ上の所与の位置まで、スレッド・モータ９０８Ｂにより移される。リニア・エンコーダ９０８Ｃは、ハードウェア、ソフトウェア、またはハードウェアとソフトウェアの組合せを含むことができる。
【００３３】
コントローラ９１０は、光ディスク１００の光学的に書込み可能なラベル面１０２のトラック１０６上の半径方向に同一直線上にない開始位置１０８まで、光学式マーキング機構９０２を進め、また、第１のモータ機構９０６と第２のモータ機構９０８を制御することで、コントローラ９１０がトラック前進信号を受け取るまで、光学式マーキング機構９０２に、トラック上を複数回、通らせる。これは、詳細な説明の前セクションに述べられてきたように達成されることがある。コントローラ９１０は、トラック上の毎回のパスの間、光学式マーキング機構９０２の一定マーキング強度を維持するか、あるいは、毎回のパスの間、光学式マーキング機構９０２のマーキング強度を変更することができる。
【００３４】
コントローラ９１０は、トラック前進信号を受け取ると、第１のモータ機構９０６と第２のモータ機構９０８を制御することで、光学式マーキング機構９０２を、あるトラックから別のトラックへと進める。一実施形態では、コントローラ９１０は、第１のモータ機構９０６と第２のモータ機構９０８を制御することで、受け取ったトラック前進信号に対応するいくつかのトラックだけ、現時点のトラックから、第２のモータ機構９０８を進める。コントローラ９１０はまた、詳細な説明の前セクションに述べられてきたように、トラック１０６上の半径方向に同一直線上にない開始位置１０８を求めるものであることもある。
【００３５】
通常の当業者に理解できるように、大容量記憶装置９００に述べられる構成要素は、本発明の一実施形態を表わしており、本発明のすべての実施形態を限定するとは限らない。他の制御手法も使用できる。ただ１つの例として、スレッド９０８Ａは、スレッド・モータ９０８Ｂを用いて位置づけられる場合があり、その場合、ビーム源９０２Ａ、対物レンズ９０２Ｂに取り付けられた音声コイルを用いて、さらに細かい調整が得られる。
【００３６】
図１０は、本発明の一実施形態により、光ディスク１００の光学的に書込み可能なラベル面１０２上にイメージを光学的に書き込む方法１０００を示している。本発明の一実施形態において、図９の大容量記憶装置９００が、方法１０００を実行することができる。例えば、コントローラ９１０は、方法１０００を実行する。最初に、光ディスク１００のトラック１０６上の開始位置１０８間の角距離（１つまたは複数）を求める（１００２）。このような決定は、述べられてきたように、トラック終端のマーキング無しピクセルの認識を弱めること、開始位置ピクセル・マーキングの影響の認識を弱めることである。このような決定はまた、少なくとも一部、ランダムに達成され、光学式マーキング機構９０２を、トラックからトラックへと進めながら位置を変えるのに必要な時間に基づいて行われる。
【００３７】
次に、光学式マーキング機構９０２は、光ディスク１００のトラック１０６の１つを通る（１００４）。光学式マーキング機構９０２が、このトラックを通っている間、光学式マーキング機構９０２は、トラック１０６が属している光学的に書込み可能なラベル面１０２上に光学的に書き込まれるイメージにより、適宜、このトラックのピクセルにマーキングを書き込む（１００６）。トラック前進信号を受け取らなかった（１００８）場合には、方法１０００は、１００４と１００６を繰り返す。一実施形態では、光学式マーキング機構９０２のマーキング強度すなわちパワーは、このトラック上でのパスごとに一定のままであるが、しかるに、他の実施形態では、このマーキング強度は、このトラック上でのパスごとに変化する。すなわち、光学式マーキング機構９０２は、詳細な説明の前セクションに述べられてきたように、このトラック上のパスの間に、このトラックのピクセルにマーキングを書き込む。
【００３８】
トラック前進信号を受け取る（１００８）と、このトラック前進信号は、２つのタイプの１つであることもある。第１に、トラック前進信号は、コントローラ９１０が光学式マーキング機構９０２を、次の物理的にすぐ隣りのトラックに進ませるよう指定する場合がある。この場合、１０１０は実行されない。第２に、トラック前進信号は、コントローラ９１０が光学式マーキング機構９０２を進めるべき、現時点のトラックからのトラック数を指定する場合がある。このような場合に、コントローラ９１０は、好ましくは、トラック前進信号から、光学式マーキング機構９０２を進めるべきトラック数を求める（１０１０）。結局、次のトラックが、現時点のトラックに物理的に隣接しようとしまいと、光学式マーキング機構９０２は、次のトラックに進む（１０１２）。次に、方法１０００は、述べられてきたように、１００４からスタートして繰り返す。
【００３９】
図１１は、本発明の一実施形態による図９の大容量記憶装置９００用の製造方法１１００を示している。方法１１００は、光学式マーキング機構９０２を備えること（１１０２）、第１のモータ機構９０６を備えること（１１０４）、第２のモータ機構９０８を備えること（１１０６）、コントローラ９１０を備えること（１１０８）を含む。一実施形態では、光学式マーキング機構９０２を備えることは、光ビーム源９０２Ａを備えること（１１１０）と、対物レンズ９０２Ｂを備えること（１１１２）を含むが、しかるに、一実施形態において、第１のモータ機構９０６を備えることは、スピンドル９０６Ａを備えること（１１１４）、スピンドル・モータ９０６Ｂを備えること（１１１６）、ロータリ・エンコーダ９０６Ｃを備えること（１１１８）を含む。最後に、一実施形態において、第２のモータ機構９０８を備えることは、スレッド９０８Ａを備えること（１１２０）、スレッド・モータ９０８Ｂを備えること（１１２２）、リニア・エンコーダ９０８Ｃを備えること（１１２４）を含む。
【００４０】
結論
特定の実施形態が、本明細書に図示され、説明されてきたが、通常の当業者であれば、図示される特定の実施形態は、同一目的を達成するように設計されている任意の装置で置き換えできるものと理解されることに留意する。本願は、本発明の開示された実施形態のいかなる改造も、あるいは変更もカバーするつもりである。それゆえ、本発明は、特許請求の範囲、および、それと同等なものによってのみ限定されるつもりであることが明らかである。
【図面の簡単な説明】
【００４１】
【図１】本発明の一実施形態により、光学的に書込み可能なラベル面上で、半径方向に同一直線上にないトラック開始位置を持つ光ディスクの図。
【図２】本発明の一実施形態により、ラベル面上で半径方向に同一直線上にないトラック開始位置を持つことが、トラック終端のマーキング無しピクセルの認識を弱める手法を示す、光ディスクの光学的に書込み可能なラベル面のトラックの図。
【図３】本発明の一実施形態により、ラベル面上で半径方向に同一直線上にないトラック開始位置を持つことが、開始位置ピクセル・マーキングの影響の認識を弱める手法を示す、光ディスクの光学的に書込み可能なラベル面のトラックの図。
【図４】本発明の一実施形態により、ラベル面上で半径方向に同一直線上にないトラック開始位置を持つことが、光学式マーキング機構を、トラックからトラックへと進めながら位置を変え、かつ安定させるのに必要な時間に基づく可能性がある手法を示す、光ディスクの光学的に書込み可能なラベル面の２つのトラックの図。
【図５】本発明の一実施形態により、パスごとにマーキング強度が変わる光学式マーキング機構がトラック上を、複数回通ることで、異なるサイズのピクセルが得られうる手法を示す、光ディスクの光学的に書込み可能なラベル面のトラックの図。
【図６】本発明の一実施形態により、パスごとにマーキング強度が一定のままである光学式マーキング機構がトラック上を、複数回通ることで、異なるサイズのピクセルが得られうる手法を示す、光ディスクの光学的に書込み可能なラベル面のトラックの図。
【図７】本発明の一実施形態により、光学式マーキング機構が、あるトラック上を繰り返して通り、また、トラック前進信号を受け取ると、次の物理的に隣接するトラックに進む手法を示す、光ディスクの光学的に書込み可能なラベル面の２つのトラックの図。
【図８】本発明の一実施形態により、光学式マーキング機構が、あるトラック上を繰り返して通り、また、スキップするトラックの数を指定するトラック前進信号を受け取ると、このトラックに物理的に隣接しない次のトラックに進むことができる手法を示す、光ディスクの光学的に書込み可能なラベル面の３つのトラックの図。
【図９】本発明の一実施形態による大容量記憶装置の図。
【図１０】本発明の一実施形態により、光ディスクの光学的に書込み可能なラベル面に光学的にイメージのラベルを付ける方法の流れ図。
【図１１】本発明の一形態による図９の大容量記憶装置を製造する方法の流れ図。
【符号の説明】
【００４２】
９００  大容量記憶装置
９０２  光学式マーキング機構
９０４  第１のモータ機構
９０６  第２のモータ機構
９１０  コントローラ
【図１】
2004327026.tif 000003
【図２】
2004327026.tif 000004
【図３】
2004327026.tif 000005
【図４】
2004327026.tif 000006
【図５】
2004327026.tif 000007
【図６】
2004327026.tif 000008
【図７】
2004327026.tif 000009
【図８】
2004327026.tif 000010
【図９】
2004327026.tif 000011
【図１０】
2004327026.tif 000012
【図１１】
2004327026.tif 000013